(57)【要約】【課題】額縁部材の組付作業の作業性を向上させることができる建具を提供する。【解決手段】建具１０は、額縁部材１６を枠体１２に対して支持する額縁支持部２６ａ，２６ｃ，２６ｄを備える。額縁支持部２６ａ，２６ｃ，２６ｄは、枠体１２に設けられ、額縁部材１６の枠体１２の枠内方向を向いた内面６０ａを支持する固定アングル部５０と、固定アングル部５０に対して接離する方向に移動可能に設けられ、額縁部材１６の枠体１２の枠外方向を向いた外面６０ｂを支持する可動アングル部５２と、固定アングル部５０と可動アングル部５２との間に額縁部材１６を挟み込んだ状態で固定アングル部５０と可動アングル部５２との間を締結可能なねじ５４とを備える。【選択図】図３Ｂ
2019116800.tif 000002
【特許請求の範囲】
【請求項１】
枠体と、該枠体の室内側に設けられる額縁部材と、該額縁部材を前記枠体に対して支持する額縁支持部と、を備える建具であって、
前記額縁支持部は、前記枠体に設けられ、前記額縁部材の前記枠体の枠内方向を向いた内面を支持する固定アングル部と、
前記固定アングル部に対して接離する方向に移動可能に設けられ、前記額縁部材の前記枠体の枠外方向を向いた外面を支持する可動アングル部と、
前記固定アングル部に設けられた貫通孔を挿通して前記可動アングル部に設けられたねじ孔に対して螺合され、前記固定アングル部と前記可動アングル部との間に前記額縁部材を挟み込んだ状態で該固定アングル部と該可動アングル部との間を締結可能なねじと、
を備えることを特徴とする建具。
【請求項２】
請求項１に記載の建具において、
前記額縁支持部は、前記固定アングル部と前記可動アングル部との間に設けられ、前記可動アングル部の移動方向に沿って伸縮可能な弾性体を備えることを特徴とする建具。
【請求項３】
請求項１又は２に記載の建具において、
前記額縁支持部は、前記固定アングル部又は前記枠体に設けられ、前記可動アングル部の移動方向に沿って延在するガイド片又は溝部を備え、
前記可動アングル部は、前記ガイド片に対して前記移動方向に摺動可能に係合する溝部又はガイド片を有することを特徴とする建具。
【請求項４】
請求項１〜３のいずれか１項に記載の建具において、
前記枠体は、金属製の形材で形成され、
前記固定アングル部は、樹脂製の形材で形成されると共に、前記枠体に対して位置決め支持され、
前記可動アングル部は、金属製の形材で形成されていることを特徴とする建具。
【請求項５】
請求項１〜４のいずれか１項に記載の建具において、
前記固定アングル部は、前記枠体の内側見込み面に対して位置決め支持される取付片と、前記枠体の室内側端部から突出した支持片と、を有し、
前記可動アングル部は、前記枠体の外側見込み面に対して接離する方向に移動可能に設けられると共に前記ねじ孔が設けられた連結片と、前記枠体の室内側端部から突出した支持片と、を有し、
前記ねじは、前記固定アングル部の前記貫通孔と、前記枠体の前記内側見込み面に設けられた貫通孔とを挿通して、前記可動アングル部の前記ねじ孔に対して螺合され、
前記額縁支持部は、前記固定アングル部の支持片と、前記可動アングル部の支持片との間で前記額縁部材を挟み込むことを特徴とする建具。
【発明の詳細な説明】
【技術分野】
【０００１】
本発明は、枠体で額縁部材を支持した建具に関する。
【背景技術】
【０００２】
例えば特許文献１には、枠体の室内側に木製の額縁部材を設けた建具が開示されている。特許文献１の構成は、枠体の室内側端部に室内側を向いて開口したコ字状の開口溝を形成し、この開口溝に額縁部材の端部を挿入することで額縁部材を枠体に対して支持している。
【先行技術文献】
【特許文献】
【０００３】
【特許文献１】特開２００７−１４６５３６号公報
【発明の概要】
【発明が解決しようとする課題】
【０００４】
ところが、上記特許文献１の構成は、額縁部材の製造時の寸法公差に基づく幅寸法や板厚の違いに柔軟に対応できず、額縁部材を開口溝に対して円滑に組み付けることができない場合がある。また、この構成では、枠体の施工後に開口溝の位置調整を行うことができず、額縁部材の組付作業の作業性がさらに低下する。しかもこの構成では、例えば額縁部材の板厚が小さい場合は、開口溝内で額縁部材ががたつきを生じることを防止するために、枠体の開口溝部分と額縁部材とを複数箇所でねじ止めする必要があり、製品の意匠性が低下し、組付作業も煩雑となる。
【０００５】
本発明は、上記従来技術の課題を考慮してなされたものであり、額縁部材の組付作業の作業性を向上させることができる建具を提供することを目的とする。
【課題を解決するための手段】
【０００６】
本発明に係る建具は、枠体と、該枠体の室内側に設けられる額縁部材と、該額縁部材を前記枠体に対して支持する額縁支持部と、を備える建具であって、前記額縁支持部は、前記枠体に設けられ、前記額縁部材の前記枠体の枠内方向を向いた内面を支持する固定アングル部と、前記固定アングル部に対して接離する方向に移動可能に設けられ、前記額縁部材の前記枠体の枠外方向を向いた外面を支持する可動アングル部と、前記固定アングル部に設けられた貫通孔を挿通して前記可動アングル部に設けられたねじ孔に対して螺合され、前記固定アングル部と前記可動アングル部との間に前記額縁部材を挟み込んだ状態で該固定アングル部と該可動アングル部との間を締結可能なねじと、を備えることを特徴とする。
【０００７】
このような構成によれば、額縁支持部の固定アングル部と可動アングル部との間の間隔をねじを用いて調整することで、額縁部材が幅寸法や板厚にばらつきを有する場合であっても、額縁部材を容易に枠体に対して組付支持することができる。このため、額縁部材の組付作業の作業性が向上すると共に、額縁部材を安定して支持することができる。また、当該建具は、ねじが枠体の枠内側から締結される。このため、枠体の躯体への固定後或いは額縁部材の枠体への組付後であっても、額縁部材の位置調整や交換等を容易に行うことができる。さらに、当該建具は、額縁支持部で額縁部材を保持する構成としているため、例えば固定アングル部と額縁部材とを複数箇所でねじ打ちする必要がなく、作業が容易であると共に意匠性が向上する。
【０００８】
本発明に係る建具において、前記額縁支持部は、前記固定アングル部と前記可動アングル部との間に設けられ、前記可動アングル部の移動方向に沿って伸縮可能な弾性体を備える構成としてもよい。そうすると、固定アングル部と可動アングル部とをねじで締め付ける前の仮締め状態において、弾性体が固定アングル部と可動アングル部との間に突っ張るため、当該建具の輸送時等の可動アングル部のがたつきを防止できる。
【０００９】
本発明に係る建具において、前記額縁支持部は、前記固定アングル部又は前記枠体に設けられ、前記可動アングル部の移動方向に沿って延在するガイド片又は溝部を備え、前記可動アングル部は、前記ガイド片に対して前記移動方向に摺動可能に係合する溝部又はガイド片を有する構成としてもよい。そうすると、ガイド片と溝部のガイド作用下に可動アングル部をねじで固定アングル部側へと円滑に引き寄せ移動させることができる。
【００１０】
本発明に係る建具において、前記枠体は、金属製の形材で形成され、前記固定アングル部は、樹脂製の形材で形成されると共に、前記枠体に対して位置決め支持され、前記可動アングル部は、金属製の形材で形成された構成としてもよい。そうすると、額縁部材を支持する室内側且つ枠内側の固定アングル部を樹脂製としたことで、枠体に別途樹脂製の断熱枠材を装着することなく、当該建具の室内外方向での断熱性を確保することができる。
【００１１】
本発明に係る建具において、前記固定アングル部は、前記枠体の内側見込み面に対して位置決め支持される取付片と、前記枠体の室内側端部から突出した支持片と、を有し、前記可動アングル部は、前記枠体の外側見込み面に対して接離する方向に移動可能に設けられると共に前記ねじ孔が設けられた連結片と、前記枠体の室内側端部から突出した支持片と、を有し、前記ねじは、前記固定アングル部の前記貫通孔と、前記枠体の前記内側見込み面に設けられた貫通孔とを挿通して、前記可動アングル部の前記ねじ孔に対して螺合され、前記額縁支持部は、前記固定アングル部の支持片と、前記可動アングル部の支持片との間で前記額縁部材を挟み込む構成としてもよい。そうすると、固定アングル部と可動アングル部とを枠体に対して安定して締結しつつ、互いの支持片の間で額縁部材を確実に支持することができる。
【発明の効果】
【００１２】
本発明によれば、額縁部材の組付作業の作業性を向上させることができる。
【図面の簡単な説明】
【００１３】
【図１】本発明の一実施形態に係る建具の縦断面図である。
【図２】図１に示す建具の横断面図である。
【図３Ａ】右側の縦枠の縦額縁支持部で縦額縁を支持する前の状態を示す要部拡大横断面図である。
【図３Ｂ】図３Ａに示す状態から縦額縁支持部で縦額縁を支持した状態を示す要部拡大横断面図である。
【発明を実施するための形態】
【００１４】
以下、本発明に係る建具について好適な実施の形態を挙げ、添付の図面を参照しながら詳細に説明する。
【００１５】
図１は、本発明の一実施形態に係る建具１０の縦断面図である。図２は、図１に示す建具１０の横断面図である。図１及び図２に示すように、建具１０は、建物の躯体１１の開口部に固定される枠体１２と、枠体１２にスライド可能に配設される左右一対の障子１４，１５と、枠体１２の室内側に支持される額縁部材１６とを備える。本実施形態では、障子１４，１５をスライドさせることで枠体１２の内側開口を開閉可能な引違い窓の建具１０を例示する。
【００１６】
枠体１２は、上枠１２ａと、下枠１２ｂと、左右の縦枠１２ｃ，１２ｄとを四周枠組みすることで矩形の開口部を形成したものである。枠体１２は、例えばアルミニウム等の金属の押出形材である。枠体１２は、くぎやねじ等の固定具１７を用いて躯体１１に固定される。
【００１７】
本出願において、見込み方向とは建具１０の室内外方向、つまり室内側から室外側に向かう方向又はその逆方向（図中に矢印Ｙで示す方向）をいい、見込み面とは見込み方向に沿って延在する面をいう。見付け方向とは見込み方向に直交する方向であり、上下方向に長尺な縦枠１２ｃ等の場合はその長手方向に直交する左右方向（図中に矢印Ｘで示す方向）をいい、左右方向に長尺な上枠１２ａ等の場合はその長手方向に直交する上下方向（図中に矢印Ｚで示す方向）をいう。見付け面とは見付け方向に沿った面をいう。枠状部材の内側（内周）とは、例えば枠体１２の枠内側をいい、枠状部材の外側（外周）とは、例えば枠体１２の躯体１１に固定される枠外側をいう。また、枠状部材の枠内方向とは、例えば枠体１２の外側から内側に向かう方向をいい、枠状部材の枠外方向とは、例えば枠体１２の内側から外側に向かう方向をいう。
【００１８】
図１に示すように、上枠１２ａの内側見込み面１８ａには、レール２０ａ，２１ａ，２２ａが見込み方向に並んで設けられている。下枠１２ｂの内側見込み面２４ａには、レール２０ｂ，２１ｂ，２２ｂが見込み方向に並んで設けられている。レール２０ａ，２０ｂは、障子１４の室外側に設けられた網戸２５をスライド可能にガイドする突出片である。レール２１ａ，２１ｂは、室外側の障子１４をスライド可能にガイドする突出片である。レール２２ａ，２２ｂは、室内側の障子１５をスライド可能にガイドする突出片である。
【００１９】
上枠１２ａの室内側端部には、額縁部材１６の上額縁１６ａを支持する上額縁支持部（額縁支持部）２６ａが設けられている。下枠１２ｂの室内側端部には、額縁部材１６の下額縁１６ｂを支持する下額縁支持部２６ｂが設けられている。
【００２０】
図２に示すように、一方の縦枠１２ｃの内側見込み面２８ａには、ヒレ部３０，３１が見込み方向に並んで設けられている。他方の縦枠１２ｄの内側見込み面３２ａには、ヒレ部３４，３５が見込み方向に並んで設けられている。ヒレ部３０，３４は、閉じ位置にある網戸２５を支持する突出片である。ヒレ部３１，３５は、それぞれ閉じ位置にある障子１４，１５を支持する突出片である。
【００２１】
縦枠１２ｃの室内側端部には、額縁部材１６の左側の縦額縁１６ｃを支持する縦額縁支持部（額縁支持部）２６ｃが設けられている。縦枠１２ｄの室内側端部には、額縁部材１６の右側の縦額縁１６ｄを支持する縦額縁支持部（額縁支持部）２６ｄが設けられている。
【００２２】
図１及び図２に示すように、室外側の障子１４は、框体３８の内側に面材３９を保持した構成である。框体３８は、面材３９の四周を囲む上框３８ａ、下框３８ｂ、戸先框３８ｃ及び召合せ框３８ｄを有する。本実施形態では複層ガラスで構成された面材３９を例示しているが、面材３９は１枚ガラス等でもよい。
【００２３】
框体３８は、室外側に配設される金属框材４０と、室内側に配設される樹脂框材４２とを組み合わせた複合構造となっている。金属框材４０は、例えばアルミニウム等の金属の押出形材である。樹脂框材４２は、例えば塩化ビニル樹脂（ＰＶＣ）等の樹脂の押出形材である。上框３８ａは、金属框材４０の金属上框４０ａの室内側見付け面に樹脂框材４２の樹脂上框４２ａを装着した構成である。下框３８ｂは、金属框材４０の金属下框４０ｂの室内側見付け面に樹脂框材４２の樹脂下框４２ｂを装着した構成である。戸先框３８ｃは、金属框材４０の金属戸先框４０ｃの室内側見付け面に樹脂框材４２の樹脂戸先框４２ｃを装着した構成である。召合せ框３８ｄは、金属框材４０の金属召合せ框４０ｄで構成されている。
【００２４】
室内側の障子１５は、召合せ框３８ｄと構成が異なる召合せ框３８ｅを有する以外は障子１４と略同一構造である。そこで、障子１５については、障子１４と同一又は同様な構成要素について図中に障子１４と同一の参照符号を付して詳細な説明を省略する。障子１５の召合せ框３８ｅは、金属框材４０の金属召合せ框４０ｅの室内側見付け面に樹脂框材４２の樹脂召合せ框４２ｅを装着した構成である。障子１５の召合せ框３８ｅと障子１４の召合せ框３８ｄとの間はクレセント４４によってロック可能であり、これにより障子１４，１５を閉状態に保持できる。
【００２５】
図１及び図２に示すように、額縁部材１６は、上額縁１６ａと、下額縁１６ｂと、左右の縦額縁１６ｃ，１６ｄとを四周枠組みすることで矩形の開口部を形成したものである。各額縁１６ａ〜１６ｄは、例えば樹脂板や木板によって形成されている。額縁部材１６は、予め躯体１１に固定した枠体１２に対し、各額縁１６ａ〜１６ｄを枠組みした状態で取り付けられる。
【００２６】
図３Ａは、右側の縦枠１２ｄの縦額縁支持部２６ｄで縦額縁１６ｄを支持する前の状態を示す要部拡大横断面図であり、図３Ｂは、図３Ａに示す状態から縦額縁支持部２６ｄで縦額縁１６ｄを支持した状態を示す要部拡大横断面図である。以下では、右側の縦額縁支持部２６ｄによる縦額縁１６ｄの支持構造を代表的に説明するが、上側及び左側の額縁支持部２６ａ，２６ｃによる額縁１６ａ，１６ｃの支持構造については縦額縁支持部２６ｄに対して設置方向が異なったり左右対称構造であったりする以外は略同一構造であるため、図中に縦額縁支持部２６ｄと同一の参照符号を付して詳細な説明を省略する。
【００２７】
図３Ａ及び図３Ｂに示すように、縦額縁支持部２６ｄは、固定アングル部５０と、可動アングル部５２と、ねじ５４と、弾性体５５とを備える。
【００２８】
固定アングル部５０は、断面略クランク形状の形材である。固定アングル部５０は、見込み方向（Ｙ方向）に沿う室外側の取付片５０ａと、見込み方向（Ｙ方向）に沿う室内側の支持片５０ｂとの間に、見付け方向（Ｘ方向）に沿うブリッジ片５０ｃを設けた構成である。固定アングル部５０は、例えば塩化ビニル樹脂（ＰＶＣ）等の樹脂の押出形材である。固定アングル部５０は、縦枠１２ｄの内側見込み面３２ａに対して位置決め支持される。
【００２９】
取付片５０ａは、縦枠１２ｄの内側見込み面３２ａに装着される部分である。縦枠１２ｄの室内側端部には、枠内方向に突出した第１係合片５６と、枠外方向に突出したガイド片５７とが設けられている。縦枠１２ｄの内側見込み面３２ａには、ガイド片５７よりも室外側となる位置に第２係合片５８が設けられている。各係合片５６，５８は、互いに対向する方向に突出した爪形状を有する。固定アングル部５０は、取付片５０ａが係合片５６，５８間に係合されることで、縦枠１２ｄの内側見込み面３２ａに装着される。支持片５０ｂは、縦枠１２ｄの室内側端部（第１係合片５６）よりも室内側に突出しており、縦額縁１６ｄの枠内方向を向いた内面６０ａを支持するための板片である。図３Ｂに示す構成例では、支持片５０ｂの先端で枠外方向に屈曲した凸部を内面６０ａに当接させているが、支持片５０ｂは面全体で内面６０ａを支持する構成等であってもよい。取付片５０ａは、板厚方向に貫通した貫通孔５０ｄが形成されている。縦枠１２ｄは、板厚方向に貫通した貫通孔６２が貫通孔５０ｄと重なる位置に形成されている。
【００３０】
可動アングル部５２は、断面略クランク形状の形材である。可動アングル部５２は、見込み方向（Ｙ方向）に沿う室外側の連結片５２ａと、見込み方向（Ｙ方向）に沿う室内側の支持片５２ｂとの間に、見付け方向（Ｘ方向）に沿うブリッジ片５２ｃを設けた構成である。可動アングル部５２は、例えばアルミニウム等の金属の押出形材である。可動アングル部５２は、縦枠１２ｄの外側見込み面３２ｂの枠外側に配置され、固定アングル部５０及び外側見込み面３２ｂに対して接離する方向（Ｘ方向）に移動可能である。
【００３１】
連結片５２ａは、縦枠１２ｄの外側見込み面３２ｂと対向配置される。連結片５２ａは、板厚方向に貫通し、内周面に雌ねじが設けられたねじ孔５２ｄが形成されている。ねじ孔５２ｄは、貫通孔５０ｄ，６２と重なる位置に設けられ、ねじ５４のねじ部５４ａが螺合する。ねじ孔５２ｄは、連結片５２ａにナット等を接合して設けてもよい。支持片５２ｂは、縦枠１２ｄの室内側端部（ガイド片５７）よりも室内側に突出しており、縦額縁１６ｄの枠外方向を向いた外面６０ｂを支持するための板片である。支持片５２ｂは、固定アングル部５０の支持片５０ｂと対向配置され、その間に縦額縁１６ｄを挟持可能である。ブリッジ片５２ｃは、連結片５２ａから枠内方向に突出した突出片との間に溝部５２ｅを形成している。溝部５２ｅは、縦枠１２ｄの枠内方向に開口しており、縦枠１２ｄのガイド片５７と摺動可能に係合する。ガイド片５７は、固定アングル部５０に設けられてもよい。ガイド片５７を可動アングル部５２に設け、溝部５２ｅを枠体１２又は固定アングル部５０に設けてもよい。
【００３２】
ねじ５４は、固定アングル部５０と可動アングル部５２との間を縦枠１２ｄを挟んで締結する。ねじ５４は、ねじ部５４ａが固定アングル部５０の貫通孔５０ｄと縦枠１２ｄの貫通孔６２とを枠外方向に向かって順に挿通した状態で、可動アングル部５２のねじ孔５２ｄに螺合される。このため、ねじ５４は、頭部５４ｂが縦枠１２ｄ（固定アングル部５０）の枠内側に配置される。ねじ５４がねじ孔５２ｄに対して螺合されると、浮動状態にある可動アングル部５２が固定アングル部５０に向かって引き寄せられる。その結果、各支持片５０ｂ，５２ｂ間の間隔が次第に狭くなり、その間に縦額縁１６ｄを挟持できる。ねじ５４、貫通孔５０ｄ，６２及びねじ孔５２ｄは縦額縁１６ｄの長手方向寸法にもよるが、例えば１〜数箇所設けられるとよい。
【００３３】
弾性体５５は、圧縮された際に反発力を発生する伸縮可能な筒体である。弾性体５５は、例えばナイロンチューブやゴムチューブである。弾性体５５は、縦枠１２ｄの外側見込み面３２ｂと可動アングル部５２の連結片５２ａとの間で、ねじ５４のねじ部５４ａに外挿される。弾性体５５は、図３Ａに示す縦額縁１６ｄの取付前の状態で、外側見込み面３２ｂと連結片５２ａとの間に突っ張ることで、当該建具１０の輸送時等の可動アングル部５２のがたつきを防止する。弾性体５５は、スプリング等で構成されてもよい。弾性体５５は、支持片５０ｂ，５２ｂ間に設けられてもよいし、連結片５２ａと枠体１２ｄとの間でねじ５４に外挿されない位置に設けられてもよい。つまり弾性体５５は、固定アングル部５０と可動アングル部５２との間となる位置で、可動アングル部５２の移動方向に伸縮可能な状態で配置されていればよい。弾性体５５は、省略してもよい。
【００３４】
上記した通り、上額縁支持部２６ａは、設置方向が異なる以外は縦額縁支持部２６ｄと略同一構造であり、縦額縁支持部２６ｃは、左右対称構造である以外は縦額縁支持部２６ｄと略同一構造である。従って、各額縁支持部２６ａ，２６ｃは、それぞれ固定アングル部５０、可動アングル部５２、ねじ５４及び弾性体５５を備え、固定アングル部５０が各枠１２ａ，１２ｃの内側見込み面１８ａ，２８ａ側に設けられ、可動アングル部５２が各枠１２ａ，１２ｃの外側見込み面１８ｂ，２８ｂ側に設けられる。図１及び図２では、額縁支持部２６ａ，２６ｃ，２６ｄに関する一部要素の符号の図示を省略している。
【００３５】
下額縁支持部２６ｂは、下枠１２ｂの内側見込み面２４ａの室内側端部に装着された固定アングル部６４を備える（図１参照）。固定アングル部６４は、断面略クランク形状の形材であり、下方に突出した脚部によって内側見込み面２４ａに装着されている。固定アングル部６４は、例えば塩化ビニル樹脂（ＰＶＣ）等の樹脂の押出形材である。固定アングル部６４は、下枠１２ｂの室内側端部よりも室内側に突出した部分で下額縁１６ｂの内面６０ａを支持している。下額縁支持部２６ｂについても、他の額縁支持部２６ａ，２６ｃ，２６ｄと同様に、固定アングル部５０と可動アングル部５２とをねじ５４で締結する構成、つまり下枠１２ｂの内側見込み面２４ａに固定アングル部５０を設け、外側見込み面２４ｂに可動アングル部５２を設けて下額縁１６ｂを挟持する構成としてもよい。また、固定アングル部５０と可動アングル部５２とをねじ５４で締結する構成は、各額縁支持部２６ａ〜２６ｄのうちで、少なくとも１つに設けられればよい。
【００３６】
次に、枠体１２に対して各額縁支持部２６ａ〜２６ｄを用いて額縁部材１６を取り付ける取付作業の一例を説明する。
【００３７】
先ず、額縁部材１６は、各額縁１６ａ〜１６ｄを予め接着剤やねじ等を用いて枠組みしておき、枠体１２は、躯体１１に固定しておく。この際、各額縁支持部２６ａ，２６ｃ，２６ｄは、図３Ａに示すように、可動アングル部５２のねじ孔５２ｄに対してねじ５４を緩めに螺合させた仮締め状態とし、支持片５０ｂ，５２ｂ間を広い間隔Ｃ１としておく。下額縁支持部２６ｂは、固定アングル部６４を下枠１２ｂに装着しない状態としておいてもよいし、固定アングル部６４を下枠１２ｂに装着しておいてもよい。
【００３８】
続いて、各額縁支持部２６ａ，２６ｃ，２６ｄの支持片５０ｂ，５２ｂ間に、額縁部材１６の各額縁１６ａ，１６ｃ，１６ｄの室外側端部を差し込む。この際、可動アングル部５２が仮締め状態にあり、支持片５０ｂ，５２ｂ間が広い間隔Ｃ１となっている。このため、各額縁１６ａ，１６ｃ，１６ｄの室外側端部を各額縁支持部２６ａ，２６ｃ，２６ｄの支持片５０ｂ，５２ｂ間に対し、容易に且つ円滑に差し込むことができる。
【００３９】
次いで、ねじ５４をねじ孔５２ｄに対して締結方向に螺回させる。そうすると、可動アングル部５２は、溝部５２ｅとガイド片５７とのガイド作用下に、連結片５２ａと各枠１２ａ，１２ｃ，１２ｄとの間で弾性体５５を圧縮しながら固定アングル部５０側へと平行移動し、支持片５０ｂ，５２ｂ間の間隔が次第に狭くなる。最終的には、ねじ５４が所定の締結力で締め付けられると、支持片５０ｂ，５２ｂ間が額縁部材１６の板厚と略同一の狭い間隔Ｃ２となり、各額縁１６ａ，１６ｃ，１６ｄが各支持片５０ｂ，５２ｂ間にがたつきなく保持される。なお、下額縁支持部２６ｂについては、固定アングル部６４を下枠１２ｂに装着し、下額縁１６ｂの室外側端部を保持すればよい。これにより、額縁部材１６の枠体１２に対する取付作業が完了する。なお、本実施形態の場合、額縁部材１６の室内側端部は、枠外方向に屈曲された部分が躯体１１に対してシール材等を介して固定される。
【００４０】
以上のように、本実施形態に係る建具１０において、額縁支持部２６ａ，２６ｃ，２６ｄは、枠体１２に設けられ、額縁部材１６の内面６０ａを支持する固定アングル部５０と、固定アングル部５０に対して接離する方向に移動可能に設けられ、額縁部材１６の外面６０ｂを支持する可動アングル部５２と、固定アングル部５０と可動アングル部５２との間に額縁部材１６を挟み込んだ状態で固定アングル部５０と可動アングル部５２との間を締結可能なねじ５４とを備える。なお、上記した通り、下額縁支持部２６ｂについても各額縁支持部２６ａ，２６ｃ，２６ｄと同様な構成としてもよい。
【００４１】
すなわち、額縁部材１６は、製造時の寸法公差や製造誤差等により、その幅寸法（例えば、対向する縦額縁１６ｃ，１６ｄの外面６０ｂ，６０ｂ間の寸法）や各額縁１６ａ〜１６ｄの板厚が異なる場合がある。そこで、当該建具１０は、額縁支持部２６ａ，２６ｃ，２６ｄの固定アングル部５０と可動アングル部５２との間の間隔をねじ５４を用いて調整することで、上記のように額縁部材１６が幅寸法や板厚にばらつきを有する場合であっても、額縁部材１６を容易に枠体１２に対して組付支持することができる。このため、額縁部材１６の組付作業の作業性が向上すると共に、額縁部材１６を安定して支持することができる。また、当該建具１０では、ねじ５４が枠体１２の枠内側から締結される。このため、枠体１２の躯体１１への固定後或いは額縁部材１６の枠体１２への組付後であっても、額縁部材１６の位置調整や交換等を容易に行うことができる。この際、固定アングル部５０は、額縁部材１６の内面６０ａを支持するように枠体１２の枠内側で位置決めされる。すなわち、枠体１２の枠内部分は、建具１０の開口寸法を形成するだけでなく、障子１４，１５が回転窓等の場合は戸当たりが設けられることもある。このため、当該建具１０は、枠体１２に対して位置決めされる固定アングル部５０を枠内側に設け、可動する可動アングル部５２を枠外側に設けたことで、枠体１２の枠内部分での部材の位置関係が変化することを防止し、建具１０の製品品質を確保している。例えば、枠体１２の枠内部分の寸法は、当該建具１０が引違い窓の場合は、障子１４，１５の引き残し位置や、框体３８に設ける引手の位置等に影響するため、固定アングル部５０が枠内側で位置決めされていることが望ましい。さらに、当該建具１０は、額縁支持部２６ａ，２６ｃ，２６ｄで額縁部材１６を保持する構成としている。このため、例えば固定アングル部５０と額縁部材１６とを複数箇所でねじ打ちする必要がなく、作業が容易であると共に意匠性が向上する。なお、固定アングル部５０は、枠体１２と一体成形されてもよい。
【００４２】
当該建具１０では、枠体１２が金属製の形材で形成され、固定アングル部５０が樹脂製の形材で形成され、可動アングル部５２は、金属製の形材で形成されている。このため、当該建具１０は、枠体１２を金属製とした構成でありながらも、その室内側で枠体１２の枠内側に樹脂製の固定アングル部５０が配置される。その結果、金属框材４０と樹脂框材４２との複合構造の框体３８を有する障子１４，１５と共に、建具１０の室内外方向での断熱性能を確保することができる。換言すれば、当該建具１０は、額縁部材１６を支持する固定アングル部５０を樹脂製としたことで、枠体１２に別途樹脂製の断熱枠材を装着することなく、高い断熱性を得ることが可能となっている。一方、可動アングル部５２は、枠体１２の枠外側に設けられ、またねじ孔５２ｄも設けられるため、金属製とすることで十分な強度を確保している。枠体１２は樹脂製でもよく、障子１４，１５の框体３８は金属製或いは樹脂製でもよい。
【００４３】
なお、本発明は、上記した実施形態に限定されるものではなく、本発明の主旨を逸脱しない範囲で自由に変更できることは勿論である。
【００４４】
例えば上記では、引違い窓の建具１０を例示したが、建具１０は片引き窓等の他のスライディング窓、嵌め殺し窓、上げ下げ窓、開き窓等の回転窓、ドア等であってもよい。障子１４，１５の設置枚数は変更してもよい。
【符号の説明】
【００４５】
１０  建具、１１  躯体、１２  枠体、１２ａ  上枠、１２ｂ  下枠、１２ｃ，１２ｄ  縦枠、１４，１５  障子、１６  額縁部材、１６ａ  上額縁、１６ｂ  下額縁、１６ｃ，１６ｄ  縦額縁、１８ａ，２４ａ，２８ａ，３２ａ  内側見込み面、１８ｂ，２４ｂ，２８ｂ，３２ｂ  外側見込み面、２６ａ  上額縁支持部、２６ｂ  下額縁支持部、２６ｃ，２６ｄ  縦額縁支持部、５０，６４  固定アングル部、５０ｄ，６２  貫通孔、５２  可動アングル部、５２ｄ  ねじ孔、５２ｅ  溝部、５４  ねじ、５５  弾性体、５７  ガイド片、６０ａ  内面、６０ｂ  外面
【図１】
2019116800.tif 000003
【図２】
2019116800.tif 000004
【図３Ａ】
2019116800.tif 000005
【図３Ｂ】
2019116800.tif 000006